(57)【要約】【課題】上部筐体上の操作キーの個数を増加させることなく、スライド回転型の携帯端末装置の特性を活かしてソフトキー機能を拡張する。【解決手段】上部筐体２が下部筐体１に重ね合わされた閉鎖状態から、下部筐体１の複数の操作キーの一部１０３−１〜１０３−４のみを露出するような所定の角度α１だけ一方の筐体が他方の筐体に対して回転されたことを検出されたとき、露出された操作キーに対して、特定の機能を割り当てるとともに、当該特定の機能を示すメニュー項目を表示画面５上で当該操作キーの近傍に対応づけて表示する。回転の方向が時計方向か反時計方向かによって、操作キーに割り当てる特定の機能を異ならせてもよい。【選択図】図２
2005141541.tif 000002
【特許請求の範囲】
【請求項１】
主表面に表示部を有する上部筐体と、
この上部筐体の端部に対してヒンジ部を介してスライド回転可能に結合され、主表面に複数の操作キーを含むキー入力部を有する下部筐体と、
前記上部筐体が前記下部筐体に重ね合わされた閉鎖状態から、前記下部筐体の前記複数の操作キーの一部のみを露出するような所定の角度だけ一方の筐体が他方の筐体に対して回転されたことを検出する回転検出手段と、
前記所定の角度の回転が検出されたとき、前記露出された操作キーの少なくとも一つに対して、特定の機能を割り当てるとともに、当該特定の機能を示すメニュー項目を前記表示画面上で当該操作キーに対応づけて表示する制御手段と、
を備えたことを特徴とする携帯端末装置。
【請求項２】
前記制御手段は、前記メニュー項目を前記対応づけられる操作キーの近傍に表示することを特徴とする請求項１記載の携帯端末装置。
【請求項３】
前記回転検出手段は、前記所定の角度の回転の方向が時計方向および反時計方向のいずれであるかを検出し、前記制御手段は前記表示画面上で、露出した操作キーの側に前記メニュー項目を表示することを特徴とする請求項１または２記載の携帯端末装置。
【請求項４】
前記所定の角度の回転の方向が時計方向および反時計方向のいずれであるかによって、操作キーに割り当てる特定の機能を異ならせることを特徴とする請求項３記載の携帯端末装置。
【請求項５】
前記所定の角度は第１の角度およびこれより大きい第２の角度であり、回転角度が前記第１および第２の角度のいずれの角度かによって、前記操作キーに割り当てる機能を異ならせることを特徴とする請求項１または２記載の携帯端末装置。
【請求項６】
前記第２の角度だけ一方の筐体が他方の筐体に対して回転された状態において、露出された操作キーの少なくとも１つが前記表示画面の側辺に沿う辺を持つ台形形状を有することを特徴とする請求項５記載の携帯端末装置。
【発明の詳細な説明】
【技術分野】
【０００１】
本発明は、上部筐体が下部筐体に対してスライド回転可能な携帯電話機を代表とする携帯端末装置に関するものである。
【背景技術】
【０００２】
従来の携帯電話機の形状はストレート型または二枚貝のような折り畳み型が一般的であったが、最近、上部筐体の主表面上のディスプレイが常に表に露出され、上部筐体を下部筐体に重ねた状態から上部筐体を下部筐体に対してヒンジ部を介して１８０度スライド回転させることにより、下部筐体上のキー入力部が現れる型（いわゆる１８０度オープンスタイル型）が販売されている（特許文献１参照）。以下、このような型を、便宜上、スライド回転型と呼ぶ。
【０００３】
スライド回転型の携帯端末装置（以下、単に携帯端末または端末という）において、特に、一方の筐体を片手に保持した状態で、他方の筐体を時計方向および反時計方向のいずれの方向にも回転させることができるタイプは、ユーザの利き手や好みによっていずれにも対応できる利点を有する。
【特許文献１】特開２００２−１３５３８０号公報
【発明の開示】
【発明が解決しようとする課題】
【０００４】
スライド回転型の携帯端末ではメールの着信やウェブの閲覧等に関する限られた操作は上下筐体を閉じた状態でも行うことができるように、下部筐体上の操作キーとは別の操作キーが設けられている。これらの操作キーは、種々の機能を動的に切り替えて割り当てることができるいわゆるソフトキーと呼ばれるものである。
【０００５】
このようなソフトキーは、限られた少数のキーで、アプリケーションの個々の場面において、種々の異なる機能の選択操作に利用できるので便利である。しかし、携帯端末の多機能化に伴い、ユーザが選択できる機能は多階層のメニュー構造となっており、目的とする機能によっては、当該メニュー項目に到達するために、何度もメニューの選択を繰り返さなければならない場合がある。
【０００６】
上部筐体に設けるソフトキーを増加させるために操作キーの個数を増加させることは、携帯端末における筐体上のキー配置可能な領域や表示画面サイズが限られていることから現実的には困難である。また、仮に操作キーを追加できるとしても、ハードウェア部品の増加によりコスト増を招来する。
【０００７】
本発明はこのような背景の下でなされたものであり、その目的は、上部筐体上の操作キーの個数を増加させることなく、スライド回転型の携帯端末装置の特性を活かしてソフトキー機能を拡張することができる携帯端末装置を提供することにある。
【課題を解決するための手段】
【０００８】
本発明による携帯端末装置は、主表面に表示部を有する上部筐体と、この上部筐体の端部に対してヒンジ部を介してスライド回転可能に結合され、主表面に複数の操作キーを含むキー入力部を有する下部筐体と、前記上部筐体が前記下部筐体に重ね合わされた閉鎖状態から、前記下部筐体の前記複数の操作キーの一部のみを露出するような所定の角度だけ一方の筐体が他方の筐体に対して回転されたことを検出する回転検出手段と、前記所定の角度の回転が検出されたとき、前記露出された操作キーの少なくとも一つに対して、特定の機能を割り当てるとともに、当該特定の機能を示すメニュー項目を前記表示画面上で当該操作キーに対応づけて表示する制御手段とを備えたことを特徴とする。
【０００９】
この構成において、ユーザが両筐体を重ね合わせた状態から、上部筐体に対して下部筐体を所定の角度だけ回転させたとき、上部筐体の背後から下部筐体上の複数の操作キーの一部が露出する。この回転は回転検出手段により検出され、この回転検出手段からの出力に応じて、制御手段が前記露出された操作キーの少なくとも一つに対して、特定の機能を割り当てるとともに、当該特定の機能を示すメニュー項目を表示画面上で当該操作キーに対応づけて表示する。特定の機能を示すメニュー項目が表示画面上で当該操作キーに対応づけて表示されるので、ユーザは、どの操作キーにどのような機能が割り当てられたかを容易に認識することができる。このように本構成によって、下部筐体の操作キーが追加的なソフトキーとして動作することになる。
【００１０】
前記メニュー項目は前記対応づけられる操作キーの近傍に表示することにより、対応関係が直感的に認識される。
【００１１】
前記回転検出手段は、前記所定の角度の回転の方向が時計方向および反時計方向のいずれであるかを検出し、前記制御手段は前記表示画面上で、露出した操作キーの側に露出した操作キーの側に表示することが好ましい。これにより、操作キーとメニュー項目とが近接し、両者の対応付けが明確となる。
【００１２】
前記所定の角度の回転の方向が時計方向および反時計方向のいずれであるかによって、操作キーに割り当てる特定の機能は同じであってもよいが、異ならせてもよい。「同じ」であれば、いずれの側でも同じメニュー項目を選べるので、ユーザの利き手等の違いに対応することができる。「異ならせ」た場合にはいずれの側の回転を選択するかによって、異なるメニュー項目を選択することができる。
【００１３】
前記所定の角度は第１の角度およびこれより大きい第２の角度であり、回転角度が前記第１および第２の角度のいずれの角度かによって、前記操作キーに割り当てる機能を異ならせることも可能である。この場合、筐体の回転により選択できるメニュー項目の選択肢をさらに拡張することが可能となる。
【００１４】
前記第２の角度だけ一方の筐体が他方の筐体に対して回転された状態において、露出された操作キーの少なくとも１つが前記表示画面の側辺に沿う辺を持つ台形形状を有するようにしてもよい。これにより、第１の角度より大きい第２の角度で筐体を開いたときにも、表示画面上のメニュー項目と操作キーの対応づけが明確になるとともに、第２の角度時の当該操作キーの操作が容易となる。
【発明の効果】
【００１５】
本発明によれば、下部筐体を上部筐体から若干開いた状態で、下部筐体上の操作キーの一部が上部筐体の表示画面の近傍において操作可能に露出するというスライド回転型の携帯端末装置の特性を活かすことにより、上部筐体上の操作キーの個数を増加させることなく、ソフトキー機能を拡張することができる。
【００１６】
また、この拡張されたソフトキー機能を利用することにより、従来の階層的なメニュー構造において目的のメニュー項目へ到達するために必要となるメニュー選択の回数を低減することが可能となる。
【発明を実施するための最良の形態】
【００１７】
以下、本発明の好適な実施の形態について図面を参照しながら詳細に説明する。
【００１８】
図１３に本発明の実施の形態に係る携帯端末の構成例を示す。制御部１２０は、制御ライン１５０およびデータライン１６０を介して、携帯端末１００の各部の制御を行う。通信回路１２２は、制御ライン１５０に接続され、アンテナ１０１を介して基地局との間で音声およびデータの通信を行う。表示部１２５は、例えば液晶ディスプレイのような表示デバイスを有し、制御ライン１５０およびデータライン１６０に接続され、各種の情報を表示する。操作部１２６は、各種操作キーやジョグダイヤル等を有し、制御ライン１５０に接続され、ユーザからの入力操作を受け付ける。メモリ１２７は、ＲＯＭ，ＲＡＭ，フラッシュメモリ等の記憶装置を有し、制御ライン１５０およびデータライン１６０に接続され、各種プログラムやデータを記憶する。筐体回転検出部１２８は、後述するような上部筐体および下部筐体の一方に対する他方の回転を検出する手段であり、例えば、上部筐体が下部筐体に重ね合わされた閉鎖状態から、下部筐体の複数の操作キーの一部のみを露出するような所定の角度だけ一方の筐体が他方の筐体に対して回転されたことを検出する。この具体的な手段は公知であり、例えば、ロータリエンコーダ、機械的スイッチ、光学的スイッチ、回転型可変抵抗器による電圧値の測定等、従来の任意の手段を利用することができる。マイク１２３およびスピーカ１２４はデータライン１６０に接続され、音声の入出力を行う。
【００１９】
図１は本発明が適用されるスライド回転型の携帯端末の外観を示している。この携帯端末は、下部筐体１と上部筐体２とからなる。上部筐体２の主表面には表示部１２５（図１３）に対応する表示画面５が配置されている。この上部筐体２の端部（図では下端）に対してヒンジ部（図示せず）を介して下部筐体１がスライド回転可能に結合されている。この回転は時計方向および反時計方向のいずれも可能である。下部筐体１の主表面には複数の操作キーを含むキー入力部を有する。両筐体を重ね合わせた閉鎖状態では、キー入力部は上部筐体２の背後に隠れる。上部筐体２上の表示画面５の下側には、閉鎖状態のまま限られた操作を行うための操作キー３−１〜３−３が設けられている。これらの操作キー３−１〜３−３は、従来、いわゆるソフトキーと呼ばれ、その機能が動的に割り当てられ、かつ、割り当てられた機能がメニュー項目４−１〜４−３として表示画面５内の、対応するキーの近傍に表示される。本明細書では、このメニュー項目の表示を「ソフトキー表示」という。このソフトキー表示によって、各ソフトキーに現在割り当てられている機能がユーザに認識されるようになっている。なお、上部筐体２上の操作キーの形態や個数は図に示したものに限定されるものではない。例えば、中央の操作キー３−２はプッシュ操作機能を備えたジョグダイヤルや操作パッドなどであってもよい。従来は、図１に示すように上部筐体を下部筐体に重ねた閉鎖状態から下部筐体を所定の角度（図では３０度程度）だけ回転させても、表示画面上５の表示内容は変わらない。
【００２０】
これに対して、本願発明はこのような所定の角度だけ筐体を開いて、一部の操作キーを露出させたとき、筐体回転検出部１２８がそのような所定の角度の回転を検出し、これに応じて制御部１２０が、露出された操作キーの少なくとも一つに対して、特定の機能を割り当てるとともに、当該特定の機能を示すメニュー項目として表示画面上で当該操作キーに対応づけて表示する。
【００２１】
図２は本実施の形態における動作の一例を示す画面例である。この図は、上部筐体２に対して下部筐体１を反時計方向に所定の角度α１（図の例では３０度程度）回転させた状態を示している。このような所定の角度での位置決めを容易にするために、ヒンジ部または上下筐体において、当該位置での停止が容易となるようなクリック感を発生させる機構を設けることが好ましい。
【００２２】
図２に示した状態では、今まで上部筐体の背後に隠れていた下部筐体１の主表面上の操作キーの一部、図の例では操作キー１０３〜１０４、が露出する。これらの露出した操作キー１０３〜１０４は、さらに筐体を開くことなくこの状態でも操作（押圧）することが可能である。例えば、図の例では左手で下部筐体１をその背後から保持して、左手の親指で操作キーの押圧操作を行うことができる。そこで、これらの操作キー１０３〜１０４に対して、既存のソフトキーに既に割り当てられている機能Ａ，Ｂ，Ｃとは別の機能Ｄ，Ｅ，Ｆ，Ｇ（追加メニュー項目と呼ぶ）を割り当てるとともに、これらの機能に対応するメニュー項目１０４−１〜１０４−４を表示画面５上の当該操作キーに対応する位置（キーの近傍の位置）に表示している。これにより、露出した操作キーにどのような機能が割り当てられているかが一目瞭然にユーザに認識できる。（筐体を完全に開いた全開状態でも下部筐体上の操作キーに対する機能の割当は可能であるが、キーと表示画面上のメニュー項目との距離が離れるため、キーと機能の対応関係が即座には分かりづらくなり、現実的ではない。）
【００２３】
図３は、上部筐体２に対して下部筐体１を、図２とは逆の方向（時計方向）に同角度だけ回転させた様子を示している。以下、便宜上、時計方向と反時計方向をそれぞれ右方向（または右）および左方向（または左）という。図の例では、新たに露出した操作キー１０３−９〜１０３−１２に対して、図２と同じ機能Ｄ，Ｅ，Ｆ，Ｇを割り当てている。すなわち、図２と図３は、同じ携帯端末において下部筐体を左右のいずれの方向に開いても同じ追加メニュー項目を表示することができる。これは、携帯端末を左右のいずれの手で保持しても、片手で同じ操作を行えることを保証するものである。
【００２４】
図４は、図３の例の変形例を示している。図３では図２の左開きの場合と同じ追加メニュー項目を右開きの場合に表示したが、図４の例では右開き時には左開き時と異なる機能Ｈ，Ｉ，Ｊ，Ｋのメニュー項目１０４−５〜１０４−８を表示している。これによって、同じユーザが下部筐体を右に開くか左に開くかによって、使用できるメニュー項目を切り替えることが可能となる。この場合、保持している手と逆側に開いたときの追加ソフトキーの操作は別の手で行うことになるが、筐体を開く方向によって１回のメニュー項目選択を行ったと等価の効果が得られる。
【００２５】
図５は別の実施の形態を示すスライド回転型の携帯端末の外観を示している。この実施の形態は、図２の実施の形態をさらに拡張するものである。すなわち、図２の実施の形態では、筐体を開く角度は一方向に一つの角度位置のみであったが、図５の実施の形態では、図２の第１の角度位置に加えて、これより大きい第２の角度α２（図では４０度程度）の角度位置を追加している。この第２の角度位置では、さらに別の操作キー１０３−５〜１０３−６が現れる。表示画面５の側辺（図では左側辺）に近い操作キーとして操作キー１０３−５，１０３−６，１０３−３，１０３−４を選択し、これらに新たな機能Ｌ，Ｍ，Ｎ，Ｏを割り当てて、当該メニュー項目１０４−９，１０４−１０，１０４−１１，１０４−１２を当該キーの近傍に表示している。また、第２の角度では第１の角度に比べて表示画面５の側辺に対する下部筐体１の傾斜が大きくなるため、従来のキー形状のままでは利用しようとするキーの露出の度合いが十分ではなかったり、利用しないキーが中途半端に露出されたりする状態が生じうる。そこで、図５に示すように、下部筐体上の一部の操作キーの形状を表示画面５の側辺に沿うような辺を持つ台形形状としている。
【００２６】
図５に示した実施の形態では、ユーザは、筐体を第１の角度α１まで開くか、第２の角度α２まで開くかを選択することにより、ソフトキー機能を拡張し、メニュー選択のためのキー入力回数（カーソル移動キーやジョグダイヤルの回転操作も含む）の低減を図ることができる。
【００２７】
なお、図５の実施の形態においても、図２で説明したように左右同角度の位置では同じ機能を割り当てる場合と、図３で説明したように左右同角度の位置でも異なる機能を割り当てる場合とがありうる。
【００２８】
図６は、本発明の実施の形態における具体的な応用例を示す図である。以下の説明は、ＮＴＴドコモ社の携帯電話機に適用した場合の例としている。図６は筐体の閉鎖状態でのソフトキー表示例を示している。この状態は、既存のソフトキー３−１〜３−３に対してそれぞれ「メール」「メニュー」「ｉモード（登録商標）」の各機能が割り当てられ、それらのメニュー項目４−１〜４−３が表示されている。この画面において中央の操作キー３−２を押下すると、図７の「メールメニュー」の画面が表示される。この画面では操作キー３−１，３−２に新たに別の機能「戻る」および「選択」が割り当てられている。操作キー３−３には何の機能も割り当てられていない。画面上のメールメニュー内の複数のメニュー項目（図の例では６個）は、図示しないカーソル移動キー（操作キー３−２が兼ねてもよい）によりハイライト表示６を移動させて選択することができる。図６に表示された他の機能「メール」および「ｉモード」についても同様である。このような操作自体は従来と同様であり、従来の操作を利用したいユーザに対して残された機能である。従来の操作との互換性が必要ない場合には、このようなメニュー選択操作は採用しなくてもよい。
【００２９】
図６の閉鎖状態から下部筐体を左側に所定角度だけ傾斜させた場合、操作キー３−１を押下することなく、「メール」機能を選択したことになる。但し、ハイライト表示の移動により選択するメニュー項目ではなく、図８に示すように、「メール」機能の下位のメニュー項目群が追加ソフトキーに対応するメニュー項目１０４−１〜１０４〜４として表示画面の左辺側に表示される。ここでのメニュー項目１０４−１〜１０４〜４に対応する機能はそれぞれ「受信メール」「送信メール」「メール新規作成」「メールセンター問合せ」である。ユーザは従来のようなハイライト表示の移動操作を行うことなく、操作キー１０３−１〜１０３−４のいずれかを押下することにより、メニュー項目１０４−１〜１０４〜４から直接的に目的のメニュー項目を選択することができる。
【００３０】
図９は、図２と図４の動作の組み合わせに対応した応用例であり、メニュー構造としては図６の例の延長線上にある。すなわち、図６の閉鎖状態から下部筐体を右側に所定角度だけ傾斜させた場合、操作キー３−３を押下することなく、「ｉモード」機能を選択したことになる。このとき、「ｉモード」機能の下位のメニュー項目群が追加ソフトキーに対応するメニュー項目１０４−５〜１０４〜８として表示画面の右辺側に表示される。ここでのメニュー項目１０４−５〜１０４〜８に対応する機能はそれぞれ「ｉＭｅｎｕ（商標）」「インターネット」「ブックマーク」「ラストＵＲＬ」である。ユーザは従来のようなハイライト表示の移動操作を行うことなく、操作キー１０３−９〜１０３−１２のいずれかを押下することにより、表示されたメニュー項目１０４−５〜１０４〜８から直接的に目的のメニュー項目を選択することができる。
【００３１】
上述した図６の閉鎖状態における画面例では、下部筐体を左右に傾斜させたときに追加ソフトキー対応に表示される具体的なメニュー項目が何であるかは、記憶していない限り、表示させてみないと分からない。そこで、図１０の表示例では、図６の表示例に代わるものとして、下部筐体を左右に傾斜させたときに表示されるメニュー項目１０４−１〜１０４−８を、筐体の閉鎖状態においても表示したものである。
【００３２】
但し、これらのメニュー項目は、図１１または図１２に示すように、実際に下部筐体を左または右に傾斜させて操作キーを露出させなければ利用できない。図１１、図１２の例ではすべてのメニュー項目の表示形態を同一にしているが、その時点で利用できないメニュー項目は表示輝度を低下させる等の特別な表示形態で表示することにより、ユーザに対して現在利用できないことを視覚的に示すようにしてもよい。あるいは、図１１、図１２の状態では、操作キーが露出されなかった側のメニュー項目（例えば図１１の例では右側のメニュー項目１０４−５〜１０４−８）は不要なので、これらの使用不能なメニュー項目の表示を一時的に消去するようにしてもよい。
【００３３】
次に、図１４により本実施の形態における基本的な追加ソフトキー表示を行う処理のフローチャートを示す。この処理は制御部１２０（図１３）によるプログラム処理により実行される。
【００３４】
制御部１２０は、筐体回転検出部１２８の出力に基づいて、上部筐体に対して下部筐体が所定の角度開いたかどうかを検出する（Ｓ１１）。この検出は、例えば、筐体回転検出部１２８からの割込信号に基づいて行うことができる。所定の角度開いたことが検出されたら、その回転が左回転（反時計方向）か右回転（時計方向）かを判断する（Ｓ１２）。この回転方向の検出も筐体回転検出部１２８の出力に基づいて行える。左回転の場合には、表示画面の左端（左辺側）に第１の追加ソフトキー表示を行うとともに、露出した操作キーに対する所定の機能の割当を行う（Ｓ１３）。右回転の場合には、表示画面の右端（右辺側）に第１（または第２）の追加ソフトキー表示を行うとともに、露出した操作キーに対する所定の機能の割当を行う（Ｓ１４）。このとき操作キーに割り当てる所定の機能は、図３の場合にはステップＳ１３で割り当てる機能と同じとする。また、図４の場合にはステップＳ１３で割り当てる機能と異なる機能（第２の追加ソフトキー表示）とする。
【００３５】
ソフトキー表示の後、キー入力を受付可能な状態とする（Ｓ１５）。その後、上下筐体が閉鎖され、または、全開されたら（Ｓ１６，Ｙｅｓ）、上記追加ソフトキー表示およびキーの割当を終了する（Ｓ１７）。
【００３６】
図１５は、図５で説明したような本発明の別の実施の形態における、筐体の開放角度を２段階にチェックする場合の追加ソフトキー表示を行う処理のフローチャートを示す。この処理も制御部１２０（図１３）によるプログラム処理により実行される。
【００３７】
図１５の処理では、筐体の開放角度（回転角度）がα１かα２かをチェックする（Ｓ２１、Ｓ２５）。  開放角度α１のときの後続の処理ステップＳ２２〜Ｓ２４およびＳ２９〜Ｓ３１は、図１４のステップＳ１２〜Ｓ１７と同じである。開放角度α２のとき、回転方向が左か右かに応じて（Ｓ２６）、画面左端に第３の追加ソフトキー表示およびキー割当を行う（Ｓ２７）か、または、画面右端に第３（または第４）のソフトキー表示およびキー割当を行う（Ｓ２８）。その後の処理としては、開放角度α１と同じくステップＳ２９〜Ｓ３１の処理を実行する。
【００３８】
以上、本発明の好適な実施の形態について説明したが、上記で言及した以外にも種々の変形、変更を行うことが可能である。例えば、種々の図に示した表示画面においてはメニュー項目しか示さなかったが、その背景に、いわゆる壁紙画面や各種アプリケーションに応じた画面が表示されていてもよい。筐体回転検出部は所定の角度の回転を検出するものとしたが、単一の角度のみを検出する場合には、閉鎖状態と全開状態および回転方向を検出し、閉鎖状態から離脱して全開状態に移行するまでの期間、または、その逆の過程の期間において、追加ソフトキーの割当およびメニュー項目の表示を行うようにしてもよい。この場合、ピンポイント的な所定の開放角度を検出する必要はなくなる。
【図面の簡単な説明】
【００３９】
【図１】本発明が適用されるスライド回転型の携帯端末の外観を示す図である。
【図２】本発明の実施の形態における動作の一例を示す画面例を表した図である。
【図３】本発明の実施の形態において、上部筐体に対して下部筐体を、図２とは逆の方向（時計方向）に同角度だけ回転させた様子を示す図である。
【図４】図３の例の変形例を示した図である。
【図５】本発明のさらに別の実施の形態を示すスライド回転型の携帯端末の外観を示す図である。
【図６】本発明の実施の形態における具体的な応用例を示す図である。
【図７】図６の画面状態において「メニュー」が選択されたときに表示される画面例を示す図である。
【図８】図６の画面状態において下部筐体を左側に所定角度回転させたときに表示される画面例を示す図である。
【図９】図６の画面状態において下部筐体を右側に所定角度回転させたときに表示される画面例を示す図である。
【図１０】図６の表示例に代わる画面例を示す図である。
【図１１】図１０の画面状態において下部筐体を左側に所定角度回転させたときに表示される画面例を示す図である。
【図１２】図１０の画面状態において下部筐体を右側に所定角度回転させたときに表示される画面例を示す図である。
【図１３】本発明の実施の形態に係る携帯端末の構成例を示すブロック図である。
【図１４】本発明の実施の形態における基本的な追加ソフトキー表示を行う処理のフローチャートである。
【図１５】本発明の別の実施の形態における、筐体の開放角度を２段階にチェックする場合の追加ソフトキー表示を行う処理のフローチャートである。
【符号の説明】
【００４０】
１…下部筐体、２…上部筐体、３−１〜３−３…操作キー、４−１〜４−３…メニュー項目、１００…携帯端末、１０３−１〜１０３−４…操作キー、１０３−９〜１０３−１２…操作キー、１０４−１〜１０４−８…メニュー項目、１２０…制御部、１２１…アンテナ、１２２…通信回路、１２３…マイク、１２４…スピーカ、１２５…表示部、１２６…操作部、１２７…メモリ、１２８…筐体回転検出部
【図１】
2005141541.tif 000003
【図２】
2005141541.tif 000004
【図３】
2005141541.tif 000005
【図４】
2005141541.tif 000006
【図５】
2005141541.tif 000007
【図６】
2005141541.tif 000008
【図７】
2005141541.tif 000009
【図８】
2005141541.tif 000010
【図９】
2005141541.tif 000011
【図１０】
2005141541.tif 000012
【図１１】
2005141541.tif 000013
【図１２】
2005141541.tif 000014
【図１３】
2005141541.tif 000015
【図１４】
2005141541.tif 000016
【図１５】
2005141541.tif 000017